(57)【要約】  【課題】積層した袋の開口の一側縁に沿う細長い延長部Ｐ２に設けられた２つの穴にピンを通して保持し、該袋を最上部のものから一枚ごと拡げ、製品を挿入し、ピンから外すようにした包装装置において、穴がピンに引っ掛かって延長部が破損するのを防ぐ。  【解決手段】内側係合部材１６、１６と、外側係合部材１８、１８と、外側係合部材が延長部に押圧されているときに、最上部の袋に空気を吹き入れるエアジェットノズル６４、６６と、袋の開口から該袋部内に入り、該袋部を拡げる拡張部材６０，６２と、開口を通して製品を押し込む製品押込み手段２４と、外側係合部材が延長部に押圧しているときに、製品が押込まれた最上部の袋を搬出する袋搬出手段２４と、搬出するときに、２つのピン１４を、最上部の袋のピン穴より下方に引き込むピン引込み手段とを備える。【選択図】図１
2008114868.tif 000002
【特許請求の範囲】
【請求項１】
袋部、及び、該袋部の開口の一側縁に沿って設けられた細長い延長部を有し、該延長部にその幅方向で間隔をあけて２つのピン穴が設けられている袋を、該袋部同士相互及び該延長部同士相互が上下方向で重なるようにして、積層して支持する支持手段と、
該積層された延長部のピン穴に通され、先端が、該最上部の延長部のピン穴から上方に突出した状態とされる２つのピンと、
該２つのピン穴の間に配置され、該延長部に押圧係合する内側係合部材と、
該延長部の幅方向における該２つのピン穴よりも外側に配置され、該延長部に押圧された押圧位置と、該延長部から離れた押圧解除位置との間で変位可能とされた外側係合部材と、
該外側係合部材が該押圧解除位置にあるときに、該最上部の袋の袋部に、その開口から空気を吹き入れて該袋を膨らませるエアジェットノズル、及び、該膨らまされた袋の開口から該袋部内に入り、該袋部を拡げる拡張部材を備える開口手段と、
該最上部の袋の拡げられた袋部内に、その開口を通して製品を押し込む製品押込み手段と、
該外側係合部材が該押圧位置とされた状態で、該製品が押込まれた該最上部の袋を該内側係合部材と他の袋との間から外して搬出する袋搬出手段と、
該袋搬出手段が該最上部の袋を搬出するときに、該２つのピンを、その先端が、該最上部の袋のピン穴より下方位置となるように引き込むピン引込み手段と
を備える包装装置。
【請求項２】
該拡張部材が、相互に近づいて、該エアジェットノズルからの空気によって拡げられた開口内に挿入されるのに適した縮小状態とされて該最上部の袋の該延長部側に位置する引込み位置と、該袋部内に挿入されるとともに相互に離されて該袋部を拡げる拡張状態とされる前進位置との間で変位可能とされた少なくとも２つの拡張部材を備え、該エアジェットノズルが、該拡張部材に取り付けられ、該拡張部材が該引込み位置にあるときに、その空気噴出し口が、該最上部の袋の開口方向に向くようにされた主エアジェットノズルを備える請求項１に記載の包装装置。
【請求項３】
該支持部材が、該最上部の延長部が該最上部の袋部よりも低い位置となるようにして該積層された袋を支持し、
該エアジェットノズルは、該最上部の延長部に近接した位置に配置され、その空気噴出し口が、該最上部の袋の開口に向けられるようにされた副エアジェットノズルを更に備え、該開口を拡げる初めの段階で、該副エアジェットノズルから該開口に空気を吹き付けて開口を拡げるようにした請求項２に記載の包装装置。
【請求項４】
該内側係合部材が、該２つのピン穴に隣接して設けられ、該開口手段により該最上部の袋が拡げられたときに、該最上部の袋のピン穴を該ピンの周りの位置に保持するようにされている請求項１乃至３のいずれかに記載の包装装置。
【請求項５】
該内側係合部材が、積層された延長部のピン穴の周りを少なくとも部分的に押圧し、該エアジェットノズルからの空気によって該ピン穴の周りの部分が浮き上がらないようにする部分を有する請求項４に記載の包装装置。
【請求項６】
該外側係合部材が該押圧位置とされたときに、該外側係合部材によって該積層された延長部にかけられる下向きの力により、該内側係合部材の該最上部の袋の延長部への係合圧力が低減するようにし、該内側係合部材と他の袋との間から、低い抵抗で該最上部の袋を外すことができるようにした請求項１乃至５のいずれかに記載の包装装置。
【請求項７】
該支持部材が、
積層された袋部を支持する第１支持部と、
積層された延長部を支持する第２支持部と、
を有し、
該第２支持部は、該外側係合部材が該押圧位置とされたときに、該外側係合部材から該積層された延長部を介してかけられる下向きの力により下方に変位するようになされている請求項６に記載の包装装置。
【発明の詳細な説明】
【技術分野】
【０００１】
本発明は、パンなどの所定の製品を袋に包装するための包装装置に関する。
【背景技術】
【０００２】
パンを袋で包装する装置としては、袋部、及び、該袋部の開口の一側縁に沿って設けられた細長い延長部を有する袋を、多数積層して、延長部の幅方向で間隔をあけて設けられた２つのピン穴に、該積層方向で延びる２つのピンを挿通して該積層された袋を保持し、その最上部にある袋から順に、その開口を拡げ、該拡げた開口からパンを挿入して、他の袋から引離し搬出するようにしたものが一般的である。
【０００３】
最上部の袋を他の袋から引離すときに、その延長部のピン穴に通したピンによって該ピン穴の周りが破損しないように、該最上部の袋の袋部にその開口から空気を吹き込み、それによって袋を膨らませることにより、該延長部の幅方向両側が持ち上がることを利用して、その持ち上がった部分に設けたピン穴がピンから外れるようにしたものが開発されている。（特許文献１）
【特許文献１】特許第３６３１９１４号
【発明の開示】
【発明が解決しようとする課題】
【０００４】
本発明は、上述のものと同様の袋を使用した包装装置において、ピンによる袋の延長部の破損をより確実に防ぐことができるようにすることを目的とするものである。
【課題を解決するための手段】
【０００５】
すなわち、本発明は、
袋部、及び、該袋部の開口の一側縁に沿って設けられた細長い延長部を有し、該延長部にその幅方向で間隔をあけて２つのピン穴が設けられている袋を、該袋部同士相互及び該延長部同士相互が上下方向で重なるようにして、積層して支持する支持手段と、
該積層されたピン穴に通され、先端が、該最上部の袋のピン穴から上方に突出した状態とされる２つのピンと、
該２つのピン穴の間に配置され、該延長部に押圧係合する内側係合部材と、
該延長部の幅方向における該２つのピン穴よりも外側に配置され、該延長部に押圧された押圧位置と、該延長部から離れた押圧解除位置との間で変位可能とされた外側係合部材と、
該外側係合部材が該押圧解除位置にあるときに、該最上部の袋の袋部に、その開口から空気を吹き入れて該袋を膨らませる主エアジェットノズル、及び、該膨らまされた袋の開口から該袋部内に入り、該袋部を拡げる拡張部材を備える開口手段と、
該最上部の袋の拡げられた袋部内に、その開口を通して製品を押し込む製品押込み手段と、
該外側係合部材が該押圧位置とされた状態で、該製品が押込まれた該最上部の袋を該内側係合部材と他の袋との間から引き出す袋搬出手段と、
該袋搬出手段が該最上部の袋を搬出するときに該２つのピンを、その先端が、該最上部の袋のピン穴より下方に引き込むピン引込み手段と
を備える包装装置を提供する。
【０００６】
この包装装置では、製品を入れた最上部の袋を他の袋から引き離して搬出するときに、ピンが袋穴に引っかかって損傷したりする虞をなくすることができる。
【０００７】
具体的には、
該拡張部材が、相互に近づいて、該主エアジェットノズルからの空気によって拡げられた開口内に挿入されるのに適した縮小状態とされると共に該最上部の袋の該延長部側に位置する引込み位置と、該袋部内に挿入されるとともに相互に離されて該袋部を拡げる拡張状態とされる前進位置との間で変位可能とされた少なくとも２つの拡張部材を備え、該主エアジェットノズルが、該拡張部材のそれぞれに取り付けられ、該拡張部材が該引込み位置にあるときに、その空気噴出し口が、該最上部の袋の開口方向に向うようにすることができる。
【０００８】
主エアジェットノズルが、開口を通して袋部内に前進する拡張部材に取り付けられているので、前述の特許文献１に示されたものなどに比べて、袋部内への空気供給を極めて効率的に行うことができる。
【０００９】
また、
該支持部材が、該最上部の延長部が該最上部の袋部よりも低い位置となるようにして該積層された袋を支持し、
該開口手段は、該最上部の延長部に近接した位置に配置され、その空気噴出し口が、該最上部の袋の開口に向けられるようにされた副エアジェットノズルを更に備え、該開口を拡げる初めの段階で、該副エアジェットノズルから該開口に空気を吹き付けて開口を拡げ、主エアジェットノズルが該副ジェットノズルにより広げられた開口に空気を吹き込むようにすることができる。
【００１０】
最上部の袋の延長部が、袋部よりも低い位置とすることにより、該最上部の開口が僅かに開いた状態とすることができ、または、該開口が開きやすい状態とすることができる。副エアジェットノズルは、このようにされた開口とほぼ同じレベルに位置決めされ、空気を該開口に向けてほぼ水平に吹き付けて開口を開き、この開かれた開口に主エアジェットノズルからの空気を吹き付けるようにしているので、更に効率良く開口を開くことが可能となる。
【００１１】
該内側係合部材は、該２つのピン穴に隣接して設けられ、該開口手段により該最上部の袋が拡げられたときに、該最上部の袋のピン穴を該ピンの周りの位置に保持するようにすることができる。
【００１２】
袋が拡げられるときに、延長部の両側が持ち上がるが、ピン穴の周囲は、ピン穴の周りの位置に保持することにより、ピンが引込み位置に変位されるときに、該ピン穴の周囲がピンと共に引き込まれたりしないようにする。
【００１３】
具体的には、
該内側係合部材が、積層された延長部のピン穴を通されたピンの先端を通す開口を有するようにすることができる。
【００１４】
更に、
該外側係合部材が該押圧位置とされたときに、該内側係合部材の該最上部の袋の延長部との係合圧力が低減するようにし、該内側係合部材と他の袋との間から、低い抵抗で該最上部の袋を引き出すことができるようにすることができる。
【００１５】
具体的には、
該支持部材が、
積層された袋部を支持する第１支持部と、
積層された延長部を支持する第２支持部と、
を有し、
該第１支持部は、該外側係合部材が該押圧位置とされたときに、該外側係合部材から該積層された延長部を介してかけられる力により下方に変位するようにすることができる。
【発明を実施するための最良の形態】
【００１６】
以下、本発明に係る包装装置の実施形態を添付図面に基づき説明する。
【００１７】
図１は、本発明に係るパン包装用の包装装置１０の主要な構成の概要を示す斜視図であり、図２は該包装装置１０において使用される積層された袋Ｐの斜視図である。
【００１８】
まず、袋Ｐは、袋部Ｐ１、及び、該袋部の開口Ｐ４の一側縁に沿って設けられた細長い延長部Ｐ２を有し、該延長部にはその幅方向で間隔をあけて２つのピン穴Ｐ３、Ｐ３が設けられている。
【００１９】
包装装置１０は、袋を積層して支持する支持手段１２と、該積層された袋のピン穴Ｐ３に通される一対のピン１４、１４と、該ピン１４、１４の間に配置され、該ピンに隣接した位置で延長部Ｐ２に押圧係合する内側係合部材１６、１６と、該ピン１４、１４よりも外側に配置されて延長部Ｐ２に係合・係合解除される外側係合部材１８、１８と、最上部の袋の袋部Ｐ１内に、その開口Ｐ４から空気を吹き入れて袋を膨らませる（図３）エアジェットノズル６４、６６、６４、及び、膨らまされた袋の開口Ｐ４から該袋部Ｐ１内に入り、袋部を拡げる（図８）拡張部材６０、６２を備える開口手段２２と、最上部の袋の拡げられた袋部Ｐ１内に、その開口Ｐ４を通してスライスされた食パンＢを押し込む（図９）押し込み手段２４と、食パンＢが押し込まれた最上部の袋を他の積層された袋から引き離して搬出する搬出手段２４と、を有している。
【００２０】
支持手段１２は、袋Ｐを、その袋部Ｐ１同士相互及び延長部Ｐ２同士相互が上下方向で重なるようにして積層支持する。該支持手段１２は、図示のように、積層された袋部Ｐ１を支持する第１支持部材３０、及び、積層された延長部Ｐ２を支持する第２支持部材３２とを有し、図示のように、最上部の袋の延長部Ｐ２が最上部の袋部Ｐ１よりも低い位置となるようにして該積層された袋を支持する。このようにすることにより、最上部の袋の開口Ｐ４が僅かに開いた状態（図２）若しくは同開口が開きやすい状態になる。
【００２１】
第２支持部材３２は、図３及び図４に示すように、当該包装装置の幅方向に延びる細長い部材とされ、同幅方向で離れた位置で該第１支持部材３０に取り付けられた一対の装着部材３４によって支持されている、装着部材３４は、詳細には図示しないが、バネ部材を備えており、第２支持部材３２を上方に付勢し、該第２支持部材３２上に支持された積層された袋の延長部Ｐ２を、内側係合部材１６，１６との間で圧着して保持するようになっている。
【００２２】
ピン１４、１４は、それぞれ、最上部の袋Ｐのピン穴Ｐ３より上方に突出するように設定されており、搬出手段２４によって該最上部の袋が他の積層された袋から引き離されて搬出されるときに、該最上部の袋のピン穴よりも下方に引き込められるようになっている（図９）。具体的には、該ピンはそれぞれ、その下端を保持すると共に、ピンの上端が上記突出位置となるように上方へバネ付勢されているバネ付勢保持手段５０（図８〜図９）と、該バネ付勢保持手段５０を下方に押し下げてピンを上記引き込み位置に変位させる押下げ手段５２とを有している。この押下げ手段は、エアシリンダ５４と、バネ付勢手段５０に係合し、該エアシリンダによって下方へ駆動されるブラケット５６とを有している。
【００２３】
内側係合部材１６，１６は、それぞれ、積層された延長部Ｐ２上を略水平に延びて該舌上部に係合する係合部４０と、該係合部４０の後端から下方に延びて当該包装装置の静止フレームに固定される固定部４２とを有している（図８）。係合部４０の先端部分は、延長部の幅方向外向きに突出して、ピン１４，１４を部分的に囲むようにされており（図６）、後述するように、開口Ｐ２を通して袋部Ｐ１内に空気が吹き込まれて該袋部が拡げられたときに、該延長部Ｐ２のピン穴Ｐ３，Ｐ３周囲が持ち上がらず、ピンの周囲に保持されるようになっている。図７は、係合部４０の他の実施形態を示しており、図６のようにピンを部分的に囲むのではなく、ピン周囲全体を囲むようにされた円形の穴４３が形成されている。
【００２４】
外側係合部材１８，１８は、それぞれ、図８に示すように、当該包装装置の静止フレームに枢着されたレバー状にされており、図示しない駆動手段により、最上部の袋の延長部Ｐ２に押圧係合される押圧位置と、該延長部Ｐ２から離れる押圧解除位置との間で変位されるようになっている。
【００２５】
開口手段２２は、最上部の袋部内に入って該袋部を拡げるためのそれぞれ対をなす上部拡張部材６０、６０、下部拡張部材６２，６２と、各拡張部材６０，６０；６２，６２に取り付けられた主エアジェットノズル６４，６４；６６，６６と、該最上部の袋の延長部の略中央部分で、当該延長部の幅方向で間隔をあけて該延長部に近接した位置とされ、その空気噴出し口が、該最上部の袋の開口に向けられるようにされた３つの副エアジェットノズル６８，６８，６８とを有している。
【００２６】
それぞれ対をなす上部拡張部材及び下部拡張部材は、相互に近づいて該主及び副エアジェットノズルからの空気によって拡げられた開口内に挿入されるのに適した縮小状態とされて該最上部の袋の該延長部側に位置する引込み位置（図１）と、該袋部内に挿入されるとともに相互に離されて該袋部を拡げる拡張状態とされる前進位置（図８〜図９）との間で変位可能とされている。
【００２７】
押込み手段２４は、図示しない、当該包装装置の上方位置に設定された無端チェーンに接続されて駆動されるプッシャー８０を有する。すなわち、このプッシャーは、図１に示すように、スライス食パンＢを袋Ｐに向けて押し出す方向に駆動されるようになっており、スライス食パンＢを袋に押込んだ後は、無限軌道にそって反転し、再度、図１に示す位置に戻り、そのとき供給されているスライス食パンを押し出すようになっている。
【００２８】
図示の例では、押し込み手段２４が、スライス食パンを受け入れた最上部の袋を搬出する搬出手段を兼ねている。すなわち、押し込み手段２４がスライス食パンを袋部の底まで押入れ、更に該食パンを押し出すことにより、該袋を搬出するようになっている。
【００２９】
この装置の開口動作は、次の通りである。
(1)  先ず、上部拡張部材６０，６０及び下部拡張部材６２，６２は、図１の位置の後退位置とされる。
この時、上部拡張部材６０，６０は前方斜め幅方向内側に傾斜し相互に近づいた状態とされ、下部拡張部材は幅方向内側に変位し相互に近づいた状態とされる。
従って、この状態では上下拡張部材の先端部が嘴（くちばし）状に小さくなり、袋開口部への浸入がしやすい形状になる。
尚、このとき主エアジェットノズルの空気噴出し口は、上部及び下部拡張部材６０，６０；６２，６２の先端位置にあり、最上部の袋の略開口方向に向けられている。
【００３０】
(2)  続いて、外側係合部材１８，１８が上昇されて延長部Ｐ２から離れる。
また、副ノズル２０から袋のわずかに開いている開口部Ｐ４に向けてエアジェットがほぼ水平に吹き付けられ、これにより、最上部の袋の袋部Ｐ１における上部面Ｐ５が下部面Ｐ６から上方に離れて開口部Ｐ４の開口が拡大され、図３に二点鎖線で示すような状態となる。
これにより、延長部Ｐ２のピン１４，１４よりも外側位置にある部分は、外側係合部１８，１８による押さえが無いので、ピン１４，１４と外側係合部１８，１８との間で立ち上がる。ただし、このとき、延長部Ｐ２は内側係合部１６，１６による押えのためにピン１４，１４から抜け出さない。
【００３１】
(3)  この副エアジェットノズルによる空気の吹き付けにわずかに遅れて、主エアジェットノズル６４，６４；６６，６６による、拡大された開口Ｐ４へのエアの吹き入れを開始し、袋全体を膨らませると同時に、該開口部を通して上部及び下部拡張部材６０，６０；６２，６２が、図８に示されるように袋内部に前進入するとともに拡がる（図４）。副ジェットノズル６８，６８，６８による吹き付けは、主エアジェットノズル６４，６４；６６，６６による袋の拡大がされ、上部及び下部拡張部材が前進される前に、停止される。
(4)  上部及び下部拡張部材が図８の前進位置に維持されて袋が拡げられた状態で、エアジェットノズル１８による吹き付けは、停止され、スライス食パンがプッシャーにより、開口された開口部から袋内に挿入される（図９）。
【００３２】
(5)  プッシャー８０がパンを袋の奥（図１の右端部側）までほぼ押し込まれる段階で、外側係合部は下降され、上から二番目にある袋の延長部Ｐ２を押し付け、ほぼそれと同時に、ピン１４，１４が下降する。
【００３３】
(6)  この状態では、積層された袋の延長部Ｐ２を支持している第２支持部材３２が、外側係合部材１８，１８によってかけられる下向きの力により僅かに下方へ変位し、最上部の袋の延長部Ｐ２が内側係合部材１６，１６からの押圧力から開放され若しくは該押圧力が低減された状態となっている。このため、プッシャー８０が、該パンを更に押し込むことにより、該パンが挿入された（一番上にある）袋が、その下にある二番目の袋から離されて押し出される。このとき、このパンが入った一番上の袋は、その延長部Ｐ２におけるピン１４，１４よりも外側の部分が、上述のように外側係合部１８，１８とピン１４，１４との間で立ち上がった状態にあり、外側係合部１８，１８による押えはなく、しかも、ピン１４，１４が下降されているので、最上部の袋は、実質的抵抗の無い状態で押し出される。
一方、上から二番目の袋の延長部Ｅは外側係合部１８，１８により押し付けられているので、パンの入った袋のこの動きに引きずられず、元の位置に留まる。
パンの入った袋の押し出しが行われると同時に、以上の動作が繰り返される。
【００３４】
以上、本発明の実施形態につき説明したが、本発明はこれに限定されるものではなく、例えば、内側係合部材による延長部の押圧係合は、開口手段による袋部の開口、拡張が行われたときに延長部のピン穴周囲が僅かに持ち上げられる程度にし、食パンを受け入れた最上部の袋を搬出するときのピンの下降を、該ピンの先端が該最上部の袋のピン穴よりは下方位置とはするが第２番目の袋のピン穴よりは僅か上方位置となるようにすることもできる。
【図面の簡単な説明】
【００３５】
【図１】本発明に係る包装装置の主要構成部分の概要を示す斜視図であり、その一部を拡大して示す部分拡大図を備える。
【図２】同包装装置において包装に使用される袋の積層状態を示す斜視図である。
【図３】同包装装置において、包装動作が始められる前の主要構成部材の状態を示す側面図である。
【図４】同主要構成部材を左側面から見た図であり、拡張部材が袋内に入って拡張した状態を示している。
【図５】図３において丸で囲んだ部分の拡大図であり、副エアジェットノズルの積層袋に対する取付位置を示す。
【図６】同主要構成部材を上部から見た図である。
【図７】図７は、同装置における内側係合部材の変形例を示す図である。
【図８】同主要構成部材の側面図で、袋を拡げた状態を示す。
【図９】同主要構成部材の側面図で、拡げた袋内にスライス食パンを押し入れた状態を示す。
【符号の説明】
【００３６】
袋Ｐ；  袋部Ｐ１；  延長部Ｐ２；  ピン穴Ｐ３、Ｐ３；  開口Ｐ４；  袋部の上面部Ｐ５；  袋部の下面部Ｐ６；  包装装置１０；  支持手段１２；ピン１４、１４；  内側係合部材１６、１６；  外側係合部材１８、１８；  開口手段２２；  押し込み手段２４；  搬出手段２４；  第１支持部材３０；  第２支持部材３２；  装着部材３４；  係合部４０:  固定部４２；  穴４３；  バネ付勢保持手段５０；  押下げ手段５２；  エアシリンダ５４；  ブラケット５６；  上部拡張部材６０、６０；  下部拡張部材６２，６２；  主エアジェットノズル６４，６４；  ６６，６６；  副エアジェットノズル６８，６８，６８；  プッシャー８０
【図１】
2008114868.tif 000003
【図２】
2008114868.tif 000004
【図３】
2008114868.tif 000005
【図４】
2008114868.tif 000006
【図５】
2008114868.tif 000007
【図６】
2008114868.tif 000008
【図７】
2008114868.tif 000009
【図８】
2008114868.tif 000010
【図９】
2008114868.tif 000011